(57)【要約】【課題】ローレットの目が見えないと共に引っ張り力を向上する。【解決手段】接栓取付座１０における取付孔１１の周縁が突出するリング状突起部１２を形成し、取付孔１１に圧入された同軸接栓座２の拡径部２１ａの上部に形成されている径が小さくされている段部２１ｂに、押し潰されたリング状突起部１２が係合される構造としている。これにより、押し潰されたリング状突起部１２の作用によりローレットの目が見えないようになると共に、同軸接栓座２の耐引っ張り力を格段に向上することができるようになる。【選択図】　図１
2004087310.tif 000002
【特許請求の範囲】
【請求項１】
略円筒状とされたシェル内に、保持部材により保持された中心導体が配置されている接栓座を、筐体に取り付ける接栓座取付構造であって、
前記シェルの下部には径の大きくされている拡径部が形成されており、前記筐体には該拡径部が圧入される接栓取付座が形成されており、該接栓取付座における前記拡径部が圧入される取付孔の周縁が突出されてリング状突起部が形成され、前記取付孔に圧入された前記拡径部の上部に形成されている径が小さくされている段部に、押し潰された前記リング状突起部が係合されていることを特徴とする接栓座取付構造。
【請求項２】
前記拡径部の先端側に防水用の弾性リングが嵌着されており、前記拡径部が前記取付孔に圧入された際に、前記弾性リングが前記取付孔の内面に密着されることを特徴とする請求項１記載の接栓座取付構造。
【請求項３】
前記中心導体が、前記シェルの下端から前記筐体内に延伸されて、前記筐体内に内蔵されている基板に電気的に接続されており、延伸されている前記中心導体が、前記接栓取付座の下部から筐体内に向かって形成されている円筒状の延伸部内に配置されて同軸構造となっていることを特徴とする請求項１記載の接栓座取付構造。
【発明の詳細な説明】
【０００１】
【発明の属する技術分野】
本発明は、高周波を扱う機器における接栓座取付構造に関するものである。
【０００２】
【従来の技術】
高周波を扱うＣＡＴＶ等の機器は、同軸ケーブルの先端に設けられている同軸接栓が装着される同軸接栓座を複数備えており、この同軸接栓座により入力端子や出力端子あるいは分岐端子が構成されている。このような機器の一例として図５に分岐器１００を示す。分岐器１００は４つの分岐端子を備えていると共に、図示しない入力端子と出力端子を有している。これらの分岐端子、入力端子および出力端子は同軸接栓座１０２により構成されている。そして、この同軸接栓座１０２には同軸ケーブル１０４の先端に設けられている同軸接栓１０３を、図示するようにそれぞれ装着することができる。
【０００３】
【発明が解決しようとする課題】
ところで、分岐器１００を構成している筐体はアルミニウム等のダイキャストにより作成されており、同軸接栓座１０２は筐体に形成されている接栓取付座１１０に固着されている。接栓取付座１１０に同軸接栓座１０２を取り付けた構成を図６に示す。図６に示すように、接栓取付座１１０には取付孔が形成されており、この取付孔内に同軸接栓座１０２の下部が圧入されることにより、同軸接栓座１０２が接栓取付座１１０に取り付けられている。同軸接栓座１０２の上部の周側面にはネジ部１２５が形成されており、このネジ部１２５に同軸接栓１０３が螺着されて同軸接栓座１０２に同軸接栓１０３を取り付けることができるようにされている。このように、同軸接栓座１０２には同軸接栓１０３が螺着されることから、回り止めが同軸接栓座１０２に施されている。すなわち、同軸接栓座１０２における接栓取付座１１０に圧入される下部に平目ローレットのローレット部１２４を形成することにより回り止めが施されている。
【０００４】
また、分岐器１００の筐体１０１内には分岐回路が組まれたプリント基板が内蔵されており、このプリント基板にハンダつけできるように、同軸接栓座１０２の中心導体１２３が延伸されている。ここで、接栓取付座１１０に同軸接栓座１０２を圧入して固着した際の斜視図を図７に示す。同軸接栓座１０２の下部には、平目ローレットのローレット部１２４が形成されていることから、ローレット部１２４の目が見えてしまい、外観上隙間があるように見えたり防水に問題があるように見えてしまうという問題点があった。
ところで、分岐器１００は屋外に設置されて防水コネクタとされている同軸接栓１０３が同軸接栓座１０２に螺着される。そして、図５に示すように分岐器１００に同軸接栓１０３が螺着された際には、その同軸ケーブル１０４の自重および風や他の原因による引っ張り荷重により引っ張り力が同軸接栓座１０２に印加されるようになる。この場合、接栓取付座１１０のローレット部１２４が平目ローレットとされていること、同軸接栓座１０２は強度・耐食性から黄銅製とされて筐体１０１とは異種金属となり温度による伸縮の相違により圧入圧が変化すること、および、取付孔はダイキャストの型を抜く都合から外方へ向かって径がやや大きくなるテーパ状に形成されていることから、耐引っ張り力が６０ｋｇ程度にしかならない。このため、印加される引っ張り力によっては同軸接栓座１０２が筐体１０１から脱落してしまう事故が生じるおそれがあるという問題点があった。
【０００５】
そこで、本発明はローレットの目が見えないと共に引っ張り力を向上することのできる接栓座取付構造を提供することを目的としている。
【０００６】
【課題を解決するための手段】
上記目的を達成するために、本発明の接栓座取付構造は、接栓取付座における取付孔の周縁が突出しているリング状突起部を形成し、取付孔に圧入された接栓座の拡径部の上部に形成されている径が小さくされている段部に、押し潰されたリング状突起部が係合される構造としている。これにより、押し潰されたリング状突起部の作用によりローレットの目が見えないようになると共に、接栓座の耐引っ張り力を格段に向上することができるようになる。また、接栓座から延伸されている中心導体が、接栓取付座の下部に形成されている円筒状の延伸部内に配置されて同軸構造とされているので、インピーダンスの乱れを防止することができる。
【０００７】
【発明の実施の形態】
本発明の実施の形態の接栓座取付構造を図１に断面図で、その組み立て図を図２に断面図で示す。この本発明にかかる接栓座取付構造は、例えば図５に示す分岐器１００等の接栓座取付構造に適用することができる。
これらの図に示すように、筐体１は分岐器等の筐体でありアルミニウムや亜鉛等のダイキャスト製とされており、筐体１には複数の接栓取付座１０が形成されている。接栓取付座１０は、筐体１から円筒状に突出して形成されており、接栓取付座１０には取付孔１１が形成されている。この取付孔１１に連通して筐体１の内部に通じる径が細くされている円筒状の延伸部１３が一体に形成されている。この取付孔１１は、ダイキャストの型を抜く都合から外方へ向かって径がやや大きくなるテーパ状に形成されている。また、本発明の接線取付構造において特徴的な構成は、取付孔１１の出口周縁にリング状突起部１２が突出するよう形成されている構成である。このリング状突起部１２は、図１に示すように内側が急峻に立つテーパ状とされ、外側が緩やかに立つテーパ状とされている。
【０００８】
このような構成の接栓取付座１０に、例えば黄銅製とされている同軸接栓座２が圧入されて固着される。同軸接栓座２の構成を図３に示す。同軸接栓座２は、図１ないし図３に示すように周側面にネジ部２５が形成され、下部に径の太くされている拡径部２１ａが形成されている金属製のシェル２１と、このシェル２１の略中心軸上に配置されている金属製の中心導体２３と、この中心導体２３をシェル２１の略中心軸上に保持する絶縁性の保持部材２２とから構成されている。また、ネジ部２５との境界における拡径部２１ａには径が若干小さくされている段部２１ｂが形成されており、拡径部２１ａの中央部には回り止めのために平目ローレットが施されたローレット部２４が形成されている。さらに、拡径部２１ａの先端には若干径が小さくされている円盤状の鍔部２６が形成されており、ローレット部２４と鍔部２６との間に形成されている溝部内にゴム等の弾性を有するＯリング３が嵌着されている。ところで、中心導体２３にはシェル２１内において挿入された同軸接栓の中心ピンを保持する挟持部が形成されており、この挟持部から細長い導出部２３ａが延伸するよう形成されている。このように、導出部２３ａが鍔部２６側から大きく突出しているのは、図２に示すように筐体１内に内蔵されている基板４に中心導体２３を電気的に接続するためである。
【０００９】
このように構成された同軸接栓座２を筐体１に形成されている接栓取付座１０に固着するには、図２に示すように同軸接栓座２におけるネジ部２５の部分を圧入治具７に嵌着し、中心導体２３における導出部２３ａから接栓取付座１０における取付孔１１内に挿入する。次いで、圧入治具７により同軸接栓座２における拡径部２１ａを取付孔１１内に圧入していく。これにより、同軸接栓座２における拡径部２１ａが取付孔１１内に圧入されていき、さらに、圧入治具７の下面によりリング状突起部１２を押し潰すようにカシメ加工を行う。すると、押し潰されたリング状突起部１２が拡径部２１ａにおける段部２１ｂ内に侵入し、押し潰されたリング状突起部１２が段部２１ｂに係合するようになる。
【００１０】
この際に、押し潰されたリング状突起部１２により、ローレット部２４が覆われるようになるため、図４に示すようにローレット部２４における平目ローレットの目が見えないようになる。さらに、押し潰されたリング状突起部１２が段部２１ｂに係合することから、同軸接栓座２の接栓取付座１０が異種金属とされていても同軸接栓座２の接栓取付座１０に対する耐引っ張り力が大きく向上され、２００ｋｇ以上となることが確かめられた。また、取付孔１１内に圧入された拡径部２１ａの前部にはＯリング３が嵌着されており、このＯリング３が取付孔１１の内面に密着するため同軸接栓座２と接栓取付座１０との間を水密に固着することができるようになる。さらに、同軸接栓を同軸接栓座２に螺着した際に平目ローレットのローレット部２４が強力な回り止めの作用を行うようになる。
【００１１】
このようにして、同軸接栓座２を筐体１における接栓取付座１０に固着した際に、同軸接栓座２から延伸している中心導体２３における導出部２３ａの先端は基板４に形成されているハンダ付け孔に挿入され、基板４にハンダ付け部６においてハンダ付けされる。また、導出部２３ａの下部には、導出部２３ａを延伸部１３の略中心軸上に位置させるための位置決め部材５が嵌入されている。これにより、延伸部１３と導出部２３ａとで同軸構造が形成され、導出部２３ａの線路インピーダンスを例えば約７５Ωに規定することができるようになる。従って、同軸接栓座２から基板までの線路のインピーダンスの乱れを防止することができ、反射損失を極力低減することができるようになる。
【００１２】
【発明の効果】
以上説明したように本発明は、接栓取付座における取付孔の周縁が突出しているリング状突起部を形成し、取付孔に圧入された接栓座の拡径部の上部に形成されている径が小さくされている段部に、押し潰されたリング状突起部が係合される構造としている。これにより、押し潰されたリング状突起部の作用によりローレットの目が見えないようになると共に、接栓座の耐引っ張り力を格段に向上することができるようになる。また、接栓座から延伸されている中心導体が、接栓取付座の下部に形成されている円筒状の延伸部内に配置されて同軸構造とされているので、インピーダンスの乱れを防止することができる。
【図面の簡単な説明】
【図１】本発明の実施の形態の接栓座取付構造を示す断面図である。
【図２】本発明の実施の形態の接栓座取付構造の組み立てを示す断面図である。
【図３】本発明の実施の形態の接栓座取付構造における同軸接栓座の構成を示す図である。
【図４】本発明の実施の形態の接栓座取付構造を示す斜視図である。
【図５】分岐器において同軸接栓座に同軸接栓を装着した状態を示す図である。
【図６】従来の接栓座取付構造を示す断面図である。
【図７】従来の接栓座取付構造を示す斜視図である。
【符号の説明】
１　筐体、２　同軸接栓座、３　Ｏリング、４　基板、５　位置決め部材、６　ハンダ付け部、７　圧入治具、１０　接栓取付座、１１　取付孔、１２　リング状突起部、１３　延伸部、２１　シェル、２１ａ　拡径部、２１ｂ　段部、２２保持部材、２３　中心導体、２３ａ　導出部、２４　ローレット部、２５　ネジ部、２６　鍔部、１００　分岐器、１０１　筐体、１０２　同軸接栓座、１０３　同軸接栓、１０４　同軸ケーブル、１１０　接栓取付座、１２３　中心導体、１２４　ローレット部、１２５　ネジ部
【図１】
2004087310.tif 000003
【図２】
2004087310.tif 000004
【図３】
2004087310.tif 000005
【図４】
2004087310.tif 000006
【図５】
2004087310.tif 000007
【図６】
2004087310.tif 000008
【図７】
2004087310.tif 000009